(57)【特許請求の範囲】
【請求項１】
躯体天井部を構成するＣ型鋼に吊りボルトを垂下させて垂直に維持固定するための吊りボルト固定金具であって、
該吊りボルト固定金具は、Ｃ型鋼の下面部に面当てされてビス固定される下面固定部と、Ｃ型鋼の側面部に面当てされてビス固定される側面固定部と、吊りボルトが螺着される吊りボルト固定部とを備え、
該吊りボルト固定部を、前記下面固定部に対して吊りボルトを角度調整して垂直に維持するよう回転可能に軸着し、水平または所定の傾斜角度をもって配設されたＣ型鋼に対して、前記下面固定部と側面固定部との２面を面当て固定した状態で、前記吊りボルト固定部の螺合面が天井パネル側に向けて平行配置されて吊りボルトを垂下保持すべく構成したことを特徴とする吊りボルト固定金具。
【請求項２】
請求項１において、前記吊りボルト固定金具を垂木としてのＣ型鋼に取着するに、
前記吊りボルト固定部は、前記側面固定部の下部側を延出させて、Ｃ型鋼の下面部側に向けて折曲せしめた吊りボルト螺合片と前記下面固定部に軸着される側面連結片とを有して側面視Ｕ字状に側面固定部と一体成形すると共に、
前記下面固定部は、Ｃ型鋼の下面部に面当て固定される下面固定片と前記側面連結片を回転可能に軸着する下面連結片とによって側面視逆Ｌ字状に折曲形成せしめ、
前記側面固定部は、Ｃ型鋼の側面部に面当てし、前記下面固定片をＣ型鋼の下面部にビス固定した状態から垂直姿勢に角度調整してビス固定されること特徴とする吊りボルト固定金具。
【請求項３】
請求項２において、前記吊りボルトは、吊りボルト螺合片に螺合された状態で、その先端を前記下面固定片に当接されること特徴とする吊りボルト固定金具。
【請求項４】
請求項１において、前記吊りボルト固定金具を母屋としてのＣ型鋼に取着するに、
前記下面固定部は、前記側面固定部の下部側を延出させて、Ｃ型鋼の下面部側に向けて折曲せしめた下面片と、該下面片の両側を立上り折曲せしめた下面連結片と、該下面連結片のそれぞれにＣ型鋼の下面部に面当て固定されるよう折曲せしめた下面固定片とを有して側面固定部と一体成形され、
前記吊りボルト固定部は、吊りボルト螺合片と、該吊りボルト螺合片の両側に折曲形成されて前記それぞれの下面連結片に回転可能に軸着される側面連結片とで凹状に形成せしめると共に、
前記側面固定部と下面固定片をＣ型鋼の側面部と下面部にビス固定した状態で、前記吊りボルト螺合片に螺着された吊りボルトの自重で垂直姿勢に角度調整されること特徴とする吊りボルト固定金具。
【請求項５】
請求項４において、前記吊りボルト固定部は、前記下面固定部の下面連結片に対して、その中心位置を前記側面固定部の側面固定片側に近接配置させて、一端側を側面固定片よりも外方に突出させた状態で、それぞれの前記側面連結片と下面連結片との間に連結ボルトを緊締操作可能に挿通せしめて軸着すると共に、前記吊りボルトは、前記吊りボルト螺合片に螺合された状態で、その先端を前記連結ボルトに当接されること特徴とする吊りボルト固定金具。
【請求項６】
請求項４または５の何れかにおいて、前記側面連結片は、前記下面固定片と対面する先端部を、前記吊りボルト固定部を回転調整した際に互いに当接しないよう台形状にカット形成され、かつ、所定の傾斜角を超える場合に前記下面固定片に当接して角度規制されること特徴とする吊りボルト固定金具。
【発明の詳細な説明】
【技術分野】
【０００１】
本発明は、躯体天井部を構成する母屋材や垂木材として使用されるＣ型鋼に、吊りボルトを垂下させて垂直に維持固定するための吊りボルト固定金具に関する。
【背景技術】
【０００２】
一般に、陸屋根や勾配屋根構造における在来天井は、躯体天井部を構成するＣ型鋼に所定の間隔を存して取り付けられた吊りボルト固定金具にその上端部が垂下固定される複数の吊りボルトと、これら吊りボルト間の下端部に野縁受けハンガーを介して支持されるチャンネル状の野縁受けと、上方に開口する両側面部の上端内方に逆Ｕ字状溝を有し、野縁取付金具を介して野縁受けに取り付けされる複数のチャンネル状の野縁と、野縁にビス止めされる天井パネルとから構成される。殊に、吊りボルト固定金具は、屋根構造に応じて水平または所定の傾斜角度をもって配設施工されるＣ型鋼に対して、何れの施工状態にも対応して兼用できるよう一部材として製作されたものが望まれると共に、地震等の揺れで、Ｃ型鋼と天井下地とが異なる揺れを生じるので、吊りボルトによって天井下地全体の重量を強固に支えることができるものが望まれる。
【０００３】
ところで、勾配屋根構造における躯体天井部は、棟木と平行かつ軸線回りに傾斜状に取付けられる母屋材としてのＣ型鋼と、母屋材としてのＣ型鋼に棟木から軒桁に傾斜状に架け渡して取り付けられる垂木としてのＣ型鋼とにより構築されるが、従来の吊りボルト固定金具は、母屋材と垂木材の何れのＣ型鋼の配設態様に対しても使い分けできるようにしたもの（特許文献１の図８、図９参照）や、母屋材としてのＣ型鋼専用のもの（特許文献２の図５参照）、垂木材としてのＣ型鋼専用のもの（特許文献３の図１参照）などが知られている。
【０００４】
しかしながら、特許文献１に開示されたものでは、立板部（９）と側板部（１０）とからなる逆Ｌ字状の第１部材（１１）を上面視コ字状に折曲形成し、側板部（１０）に切欠き形成した水平用係止溝（１５ｂ）と傾斜用係止溝（１５ｃ）の何れかを選択して、Ｃ型鋼の開口側の下フランジ部（１ａ）に引っ掛けるようにしておき、立板部（９）に吊りボルトが螺合固定される側面視Ｌ字状の第２部材（１２）を回転可能に軸着して連結金具（３）を構成し、吊りボルトを螺入締め付けしてその先端をＣ型鋼の傾斜下面部に当接させ、吊りボルト先端と係止溝（１５ｃ）間で点接触状に挟持したクランプ状態で固定する構造となっているため、地震等により揺れ、特に、ねじれを含む軸線回り方向に傾動する振動負荷を受けると、吊りボルト先端が当接面と離間してしまいガタツキや位置ズレが生じ易く、甚だしくは、天井下地全体の揺れも加わって係止溝（１５ｂ）が下フランジ部（１ａ）から外れてしまい連結金具（３）が抜け落ちてしまうという危惧があり、極めて耐震強度の性能が劣るという構造上の欠点がある。
【０００５】
また、特許文献２に開示されたものでは、連結金具（１）を、上側板部（３）の上部にＣ型鋼の開口側の下フランジ部に引っ掛け係止するためのＵ字状に折曲された掛嵌部（５）を有し、上側板部（３）の下部に吊りボルトを螺合固定するためのＬ字状に折曲された下側板部（２）を一体形成し、吊りボルトにより下側板部（２）を押し曲げて垂下する構造となっているため、板厚を押し曲げ可能な薄板材を用いなければならず、地震等により揺れ、特に、ねじれを含む軸線回り方向に傾動する振動負荷を受けると、掛嵌部（５）や下側板部（２）が拡開変形してガタツキや位置ズレが生じ易く、吊りボルトを垂直に維持できず天井全体にその重量も加わって歪みを生じてしまう危惧があり、耐震強度上に問題がある。
【０００６】
一方、特許文献３に開示されたものでは、特許文献１や２のものと同様に、垂直板部（５ａ）に形成した掛合片（６）をＣ型鋼の開口側の下フランジ部に引っ掛けて、吊りボルトを螺合固定するためのＬ字状に折曲された取付片（８）を、吊りボルトにより下側板部（２）を押し曲げ、クランプ状態で固定する垂下構造となっているため、地震等により揺れを受けて、その板厚幅方向に傾動する揺れやねじれを受けるというような振動負荷によって、掛合片（６）や取付片（８）が拡開変形してしまい、金具本体（５）のガタツキや傾斜下方への滑り位置ズレが生じ易く、吊りボルトを垂直に維持できず天井全体にその重量も加わって歪みを生じてしまう危惧があり、耐震強度上に問題がある。
したがって、これら従来のもののように、Ｃ型鋼の開口側に取り付けられるものでは、傾斜方向やねじれ方向に揺れを受けると、その振動負荷によってガタツキや位置ズレが生という固定強度上の問題があるだけでなく、Ｃ型鋼のフランジ部に集中負荷が加わり変形させてしまう危惧があり所望の耐震性能を得ることができない。
【先行技術文献】
【特許文献】
【０００７】
【特許文献１】特開平１１−０６２０９３号公報
【特許文献２】特開２００３−０９０１００号公報
【特許文献３】実公平０７−０３５９４５号公報
【発明の開示】
【発明が解決しようとする課題】
【０００８】
本発明は、上記の如き問題点を一掃すべく創案されたものであって、躯体天井部における水平または傾斜状に配設施工されるＣ型鋼に対して、何れの施工状態にも兼用して吊りボルトを垂下固定できるものでありながら、Ｃ型鋼の開口側から垂下固定する従来の固定構造によらず、Ｃ型鋼の非開口側となる下面部と側面部の２面を利用して、当該２面に面当てされる下面固定部と側面固定部とによって強固にビス固定された状態で、吊りボルト固定部を含めこれらが三位一体となった構造により取付け剛性強度を高めることができると共に、吊りボルト固定部の螺合面を天井パネル側に向けて常に平行状態に配置できるので、吊りボルトを螺入操作するだけで螺合面と直交状態となり、垂直に保持した状態で垂下固定することができ、しかも、地震等の揺れで水平方向やねじれ、傾斜方向の振動を受けた際に、Ｃ型鋼への固定面が滑りや離間、ガタツキ、位置ズレなどを生じることが防止でき、脱落の危惧を確実に回避し、Ｃ型鋼に対する耐震固定強度の性能を向上させることができ、吊りボルトの垂下姿勢を長期に亘って好適に維持して、天井全体の重量を強固に支えて良好な吊持状態を恒久的に保持することのできる吊りボルト固定金具を提供することを目的とする。
【課題を解決するための手段】
【０００９】
上記課題を解決するために本発明の吊りボルト固定金具は、躯体天井部を構成するＣ型鋼に吊りボルトを垂下させて垂直に維持固定するための吊りボルト固定金具であって、該吊りボルト固定金具は、Ｃ型鋼の下面部に面当てされてビス固定される下面固定部と、Ｃ型鋼の側面部に面当てされてビス固定される側面固定部と、吊りボルトが螺着される吊りボルト固定部とを備え、該吊りボルト固定部を、前記下面固定部に対して吊りボルトを角度調整して垂直に維持するよう回転可能に軸着し、水平または所定の傾斜角度をもって配設されたＣ型鋼に対して、前記下面固定部と側面固定部との２面を面当て固定した状態で、前記吊りボルト固定部の螺合面が天井パネル側に向けて平行配置されて吊りボルトを垂下保持すべく構成したことを特徴とするものである。
【発明の効果】
【００１０】
本発明は、上記のように構成したことにより、躯体天井部における水平または傾斜状に配設施工されるＣ型鋼に対して、何れの施工状態にも兼用して吊りボルトを垂下固定できるものでありながら、Ｃ型鋼の開口側から垂下固定する従来の固定構造によらず、Ｃ型鋼の非開口側となる下面部と側面部の２面を利用して、当該２面に面当てされる下面固定部と側面固定部とによって強固にビス固定された状態で、吊りボルト固定部を含めこれらが三位一体となった構造により取付け剛性強度を高めることができると共に、この固定状態とすることで、吊りボルト固定部の螺合面を天井パネル側に向けて常に平行状態に配置できるので、吊りボルトを螺入操作するだけで螺合面と直交状態となり、垂直に保持した状態で垂下固定することができる。しかも、地震等の揺れで水平方向やねじれ、傾斜方向の振動を受けた際に、Ｃ型鋼への固定面が滑りや離間、ガタツキ、位置ズレなどを生じることが防止でき、脱落の危惧を確実に回避し、Ｃ型鋼に対する耐震固定強度の性能を向上させることができ、吊りボルトの垂下姿勢を長期に亘って好適に維持して、天井全体の重量を強固に支えて良好な吊持状態を恒久的に保持することができる。
【図面の簡単な説明】
【００１１】
【図１】本発明の実施形態に係る勾配屋根構造の躯体天井部とその天井下地の概略側面図である。
【図２】本発明の実施形態に係る垂木としてのＣ型鋼に取り付けられる吊りボルト固定金具であって、（Ａ）は正面図、（Ｂ）は背面図、（Ｃ）は側面図、（Ｄ）は平面図、（Ｅ）は底面図である。
【図３】本発明の実施形態に係る図２に示す吊りボルト固定金具であって、（Ａ）はＡ−Ａ断面図、（Ｂ）はＢ−Ｂ断面図、（Ｃ）は角度調整説明面図である。
【図４】本発明の実施形態に係る母屋としてのＣ型鋼に取り付けられる吊りボルト固定金具であって、（Ａ）は正面図、（Ｂ）は背面図、（Ｃ）は側面図、（Ｄ）は平面図、（Ｅ）は底面図である。
【図５】本発明の実施形態に係る図４に示す吊りボルト固定金具であって、（Ａ）は斜視図、（Ｂ）はＡ−Ａ断面図である。である。
【図６】図２に示す吊りボルト固定金具をＣ型鋼に取付けした状態を示す斜視図、（Ａ）は水平に配設施工されるＣ型鋼へ固定した状態を示す正面図、（Ｂ）は所定の傾斜角度をもって配設施工されるＣ型鋼へ固定した状態を示す正面図である。
【図７】図５に示す吊りボルト固定金具をＣ型鋼に取付けした状態を示す斜視図である。
【図８】図５に示す吊りボルト固定金具をＣ型鋼に取付けした状態を示し、（Ａ）は水平に配設施工されるＣ型鋼へ固定した状態を示す側面図、（Ｂ）は開口側が所定の傾斜角度をもって下向きに配設施工されるＣ型鋼へ固定した状態を示す側面図、（Ｃ）は開口側が所定の傾斜角度をもって上向きに配設施工されるＣ型鋼へ固定した状態を示す側面図である。
【発明を実施するための最良の形態】
【００１２】
以下、本発明の実施の形態を好適な実施の形態として例示する吊りボルト固定金具を図面に基づいて詳細に説明する。図１は、本発明の実施形態に係る勾配屋根構造における躯体天井部とその天井下地の概略側面図である。この図に示す躯体天井部１は、母屋材としてのＣ型鋼１２に棟木から軒桁に傾斜状に架け渡して取り付けられる垂木としてのＣ型鋼１１とにより構築され、天井下地には、これらＣ型鋼１１、１２に、それぞれ所定の間隔を存して取り付けられた吊りボルト固定金具２ａ、２ｂにその上端部を螺着して垂下固定される複数の吊りボルト３…と、複数の吊りボルト３間に野縁受けハンガー４１を介して吊りボルト３の下端部に支持される野縁受け４（天井下地材）と、振れ止め固定金具５１を介して野縁受け４の上面側に直交させて配設される耐震用の補強下地材５（天井下地材）が含まれている。
【００１３】
野縁受けハンガー４１は、側面視略し字状に形成され、例えば、吊りボルト３の下端部に上下位置調整可能に連結され、野縁受け４は、野縁受けハンガー４１によって支持されると共に、吊りボルト３に対する野縁受けハンガー４１の位置変更によって、上下位置が調整される。
野縁受け４は、側方が開口する断面コ字状のチャンネル材からなり、躯体天井部１に所定の間隔を存して並列状に割り付けされる。このとき、野縁受け４は、図示しない躯体壁部に当接しない短めの長さに予め加工され、その両端部が野縁受け固定金具を介して躯体壁部に固定される。
【００１４】
図２の（Ａ）〜（Ｅ）は、それぞれ垂木としてのＣ型鋼１１に取り付けられる吊りボルト固定金具２ａの正面図、背面図、側面図、平面図、底面図であり、図３の（Ａ）〜（Ｃ）は、それぞれ図２に示す吊りボルト固定金具２ａのＡ−Ａ断面図、Ｂ−Ｂ断面図、角度調整説明面図である。また、図４の（Ａ）〜（Ｅ）は、それぞれ母屋としてのＣ型鋼１２に取り付けられる吊りボルト固定金具２ｂの正面図、背面図、側面図、平面図、底面図であり、図５の（Ａ）、（Ｂ）は、図４に示す吊りボルト固定金具２ｂの斜視図、Ａ−Ａ断面図である。これらの図に示すように、本実施形態の吊りボルト固定金具２ａ、２ｂは、板厚が約２ｍｍ程度でＣ型鋼１１、１２よりも肉厚または略同一の厚板材で形成され、Ｃ型鋼１１、１２の下面部に面当てされてビス固定される下面固定部２１と、Ｃ型鋼１１、１２の側面部に面当てされてビス固定されるビス孔２２２が穿設された側面固定部２２と、吊りボルト３が螺着される吊りボルト固定部２３とを備える。
【００１５】
吊りボルト固定部２３は、下面固定部２１に対して吊りボルト３を角度調整して垂直に維持するよう回転可能に軸着され、水平または所定の傾斜角度をもって配設されたＣ型鋼１１、１２に対して、下面固定部２１と側面固定部２２との２面を面当て固定した状態で、吊りボルト固定部２３の螺合面が天井パネル側に向けて平行配置されて吊りボルト３を垂下保持できるように構成される。
【００１６】
つまり、Ｃ型鋼１１に取着される吊りボルト固定金具２ａは、図２、図３に示すように、下面固定部２１が、Ｃ型鋼１１の下面部に面当て固定される下面固定片２１１と、側面連結片２３２に重合させて回転可能にリベット２４にて軸着される下面連結片２１２とによって側面視逆Ｌ字状に折曲形成される。下面固定片２１１にはＣ型鋼１１の下面部にビス固定されるビス孔２１３が２個所に穿設されており、下面連結片２１２は逆台形状に形成され、下面固定片２１１のＣ型鋼１１に対する固定面域を広幅なものとし、耐震固定強度を高めている。
また、側面固定部２２は、Ｃ型鋼１１の側面部に面当てされる板状の側面固定片２２１からなり、下面固定片２１１をＣ型鋼１１の下面部にビス孔２１３、２１３を介してビス固定した状態から垂直姿勢に角度調整してビス孔２２２によりビス固定される。
【００１７】
吊りボルト固定部２３は、側面固定片２２１の下部側を延出させて、Ｃ型鋼１１の下面部側に向けて折曲せしめた吊りボルト螺合片２３１と、下面連結片２１２とリベット２４を介して互いに重合させて回転可能に軸着される側面連結片２３２とを有して側面視Ｕ字状に形成され、かつ、側面固定片２２１とプレス成型により一体として側面視し字状に形成されいる。吊りボルト螺合片２３１には吊りボルト３の先端が螺合されるタップ穴加工されたナット部２３３が設けられており、側面連結片２３２の下面固定片２１１と対面する先端部は、側面固定片２２１（吊りボルト螺合片２３１）を回転調整した際に互いに当接しないよう円弧状に形成される。
この様に構成すると、一体形成された下面固定部２１と側面固定部２２とによってＣ型鋼１１の２面に強固にビス固定された状態で、吊りボルト固定部２３を含めこれらが三位一体となった構造により取付け剛性強度を高めて取着することができる。
【００１８】
一方、Ｃ型鋼１２に取着される吊りボルト固定金具２ｂは、図４、図５に示すように、下面固定部２１が、側面固定片２２１の下部側を延出させて、Ｃ型鋼１２の下面部側に向けて側面視し字状に折曲せしめた下面片２１４と立上り片２１５を有し、該下面片２１４の両側を側面固定片２２１の両端を挟むように凹状に立上り折曲せしめた正面視Ｕ字状の下面連結片２１２、２１２と、この下面連結片２１２、２１２の両側に側面視逆Ｌ字状に折曲せしめたＣ型鋼１２の下面部に面当て固定される下面固定片２１１とを有して、側面固定片２２１とプレス成型により一体として形成される。下面固定片２１１、２１１には、それぞれＣ型鋼１２の下面部にビス固定するためのビス孔２１３、２１３が穿設されており、下面連結片２１２、２１２には、側面固定片２２１とビス孔２１３間に穿設されたボルト挿通孔を介して、連結ボルト２５により側面連結片２３２をボルト止めするようになっている。下面片２１４のナット部２３３と対向する部位には、側面固定片２２１の下部側延出片にかけて、吊りボルト３の先端が挿通できるように断面視Ｌ字状の切欠き溝２１６が打ち抜き形成されている。
また、側面固定部２２は、Ｃ型鋼１２の側面部に面当てされるビス孔２２２が穿設された板状の側面固定片２２１からなり、Ｃ型鋼１２の側面部と下面部の２面に下面固定片２１１と共に強固にビス固定される。
【００１９】
吊りボルト固定部２３は、広幅な吊りボルト螺合片２３１と、該吊りボルト螺合片２３１の両側に逆Ｌ字状に折曲された側面連結片２３２、２３２とによって凹状に形成されており、それぞれの側面連結片２３２、２３２と下面連結片２１２、２１２とを互いに重合させて外嵌し、側面固定片２２１側に近接して穿設されたボルト挿通孔を介して連結ボルト２５により緊締操作可能に挿通せしめて、側面固定部２２（側面固定片２２１）の外方に突出させた状態で回転可能に軸着されている。吊りボルト螺合片２３１には、吊りボルト３の先端が連結ボルト２５の外周に当接する部位となる中心位置に吊りボルト３の先端側を螺合するためのタップ穴加工されたナット部２３３が設けられており、側面連結片２３２の下面固定片２１１と対面する先端部は、側面固定片２２１（吊りボルト螺合片２３１）を回転調整した際に、所定の傾斜角（約３０〜３５度）の範囲内において互いに当接しないよう台形状にカット形成され、かつ、所定の傾斜角を超える場合には、回転中心軸となる連結ボルト２５から離間した部位の側面連結片２３２の傾斜外端部が、下面固定片２１１に当接して角度規制（回転規制）されるようになっている。
【００２０】
この様に構成すると、側面固定片２２１と下面固定片２１１をＣ型鋼１２の側面部と下面部にビス固定した状態で、吊りボルト螺合片２３１に螺着された吊りボルト３の自重で垂直姿勢に角度調整されるだけてなく、連結ボルト２５の緊締操作で遊嵌状態で外嵌されても、両者を側面固定片２２１を挟んで成形された側面固定片２２１に対して強固に密着重合させることができると共に、吊りボルト３を螺入操作して切欠き溝２１６に挿通させ、その先端を連結ボルト２５の外周に当接することにより、吊りボルト固定部２３の遊装によるふらつきが防止され、しかも、一体形成された下面固定部２１と側面固定部２２とによってＣ型鋼１１の２面に強固にビス固定された状態で、吊りボルト固定部２３を含めこれらが三位一体となった構造により取付け剛性強度を高めて取着することができる。
【００２１】
次に、本発明の実施態様に係る吊りボルト固定金具２ａ、２ｂを、それぞれＣ型鋼１１、１２に取着して、吊りボルト３を垂下固定させた場合の取付手順について、図６、図７、図８に基づいてそれぞれ説明する。
先ず、吊りボルト固定金具２ａをＣ型鋼１１に取着する場合において、図６（Ａ）は水平に配設施工されるＣ型鋼１１へ固定した状態を示す正面図、図６（Ｂ）は所定の傾斜角度をもって配設施工されるＣ型鋼へ固定した状態を示す正面図である。これら図に示すように、下面固定片２１１と側面固定片２２１をＣ型鋼１１の下面部と側面部の２面にそれぞれ面当てし、下面固定片２１１をＣ型鋼１１の下面部にビス孔２１３、２１３を介してビス固定する。下面固定片２１１をビス固定した状態から側面固定部２２を垂直姿勢に角度調整してビス孔２２２によりビス固定すると、側面固定片２２１と一体成形された吊りボルト固定部２３の螺合面となる吊りボルト螺合片２３１が必然的に天井パネル側に向けて平行配置され、吊りボルト固定金具２ａのＣ型鋼１１への取付作業を３点固定により容易に完了することができる。その後、吊りボルト３の先端側をナット部２３３に螺合させれば、必然的に吊りボルト螺合片２３１と直交状態となり、その螺入操作で吊りボルト３の先端を下面固定片２１１の下面に当接させるだけで、吊りボルト３も必然的に垂直に保持させた状態で垂下固定することができる。なお、下面固定片２１１をビス固定した状態から吊りボルト３を螺合しておき、その自重を利用して垂下させた後に側面固定片２２１をビス固定しても良い。
【００２２】
一方、吊りボルト固定金具２ｂをＣ型鋼１２に取着する場合において、図７はその斜視図、図８（Ａ）は水平に配設施工されるＣ型鋼１２へ固定した状態を示す正面図、図８（Ｂ）は開口側が所定の傾斜角度をもって下向きに配設施工されるＣ型鋼１２へ固定した状態を示す側面図、図８（Ｃ）は開口側が所定の傾斜角度をもって上向きに配設施工されるＣ型鋼１２へ固定した状態を示す側面図である。これら図に示すように、下面固定片２１１と側面固定片２２１をＣ型鋼１２の下面部と側面部の２面にそれぞれ面当てして、下面固定片２１１をＣ型鋼１２の下面部にビス孔２１３、２１３を介してビス固定し、側面固定片２２１をＣ型鋼１２の側面部にビス孔２２２を介してビス固定すれば、吊りボルト固定金具２ｂのＣ型鋼１２への取付作業を３点固定により容易に完了することができる。この固定状態で、吊りボルト固定部２３を、連結ボルト２５の緊締操作を伴いつつ、吊りボルト固定部２３の螺合面となる吊りボルト螺合片２３１が天井パネル側に向けて平行配置されるよう垂直姿勢に角度調整する。
【００２３】
次いで、吊りボルト３の先端側をナット部２３３に螺合させれば、必然的に吊りボルト螺合片２３１と直交状態となり、吊りボルト３もその自重で垂直姿勢に角度調整されて、吊りボルト螺合片２３１が必然的に天井パネル側に向けて平行配置され、その螺入操作で吊りボルト３の先端を切欠き溝２１６に挿通させ連結ボルト２５の外周に当接させるだけで、垂直に保持させた状態で垂下固定することができる。その後、連結ボルト２５の締め付け操作により側面連結片２３２、２３２と下面連結片２１２、２１２とを互いに圧接するよう密着重合させれば吊りボルト３の垂下固定状態を維持することができる。
【００２４】
叙述の如く構成された本発明の実施の形態において、いま、躯体天井部１におおける水平または傾斜状に配設施工されたＣ型鋼１１、１２に、吊りボルト固定金具２ａ、２ｂを介して吊りボルト３を垂下固定するのであるが、本発明にかかる吊りボルト固定金具２ａ、２ｂは、Ｃ型鋼１１、１２の下面部に面当てされてビス固定される下面固定部２１と、Ｃ型鋼１１，１２の側面部に面当てされてビス固定される側面固定部２２と、吊りボルト３が螺着される吊りボルト固定部２３とを備え、該吊りボルト固定部２３を、下面固定部２１に対して吊りボルト３を角度調整して垂直に維持するよう回転可能に軸着し、水平または所定の傾斜角度をもって配設されたＣ型鋼１１、１２に対して、下面固定部２１と側面固定部２２との２面を面当て固定した状態で、吊りボルト固定部２３の螺合面が天井パネル側に向けて平行配置されて吊りボルト３を垂下保持すべく構成したものとなっている。
【００２５】
この様に構成すると、躯体天井部１における水平または傾斜状に配設施工されるＣ型鋼１１、１２に対して、何れの施工状態にも兼用して吊りボルト３を垂下固定できるものでありながら、Ｃ型鋼１１，１２の開口側から垂下固定する従来の固定構造によらず、Ｃ型鋼１１、１２の非開口側となる下面部と側面部の２面を利用して、当該２面に面当てされる下面固定部２１と側面固定部２２とによって、直角度やレベル出し、位置決めなどの固定作業を容易に行うことができ、作業効率の向上を図ることができるだけでなく、強固にビス固定することができ、吊りボルト固定部２３を含めこれらが三位一体となった構造により取付け剛性強度を高めることができると共に、この固定状態とすることで、吊りボルト固定部２３の螺合面（吊りボルト螺合片２３１）を天井パネル側に向けて常に平行状態に配置できるので、吊りボルト３をナット部２３３に螺入操作するだけで螺合面（吊りボルト螺合片２３１）と直交状態となり、垂直に保持した状態で垂下固定することができる。
【００２６】
しかも、吊りボルト３の先端をＣ型鋼１１、１２の下面部に当接させてクランプ状態で吊りボルト固定金具２ａ、２ｂを固定する必要が無くなり、地震等の揺れで水平方向やねじれ、傾斜方向の振動を受けた際に、Ｃ型鋼１１、１２の開口側における固定荷重の負担がなく、Ｃ型鋼１１、１２自体（特に下フランジ部）を変形させてしまう危惧が全く無くなり、Ｃ型鋼１１、１２の下面部と側面部の２面に強固に密着固定された状態で下面固定部２１と側面固定部２２とによって良好に荷重分担がなされ、振動負荷をしっかりと受け止めて、その固定面（下面固定片２１１と側面固定片２２１）同士に滑りや離間、ガタツキ、位置ズレなどなどが規制され、これらの発生や変形、共振作用による揺れの増幅などが総合的に防止され、脱落の危惧を確実に回避して、天井下地と異なる揺れを生じてもＣ型鋼１１、１２に対する耐震強度や耐震性能を飛躍的に向上させることができ、吊りボルト３の垂下姿勢を長期に亘って好適に維持して、天井全体の重量を強固に支えて良好な吊持状態を恒久的に保持することができる。
【００２７】
また、垂木としてのＣ型鋼１１に取着される吊りボルト固定金具２ａは、吊りボルト固定部２３を、側面固定部２２（側面固定片２２１）の下部側を延出させて、Ｃ型鋼１１の下面部側に向けて折曲せしめた吊りボルト螺合片２３１と下面固定部２１に軸着される側面連結片２３２とを有して側面視Ｕ字状に側面固定部２２と一体成形すると共に、下面固定部２１を、Ｃ型鋼１１の下面部に面当て固定される下面固定片２１１と側面連結片２３２を回転可能に軸着する下面連結片２１２とによって側面視逆Ｌ字状に折曲形成し、側面固定部２２（側面固定片２２１）を、Ｃ型鋼１１の側面部に面当てし、下面固定片２１１をＣ型鋼１１の下面部にビス固定した状態から垂直姿勢に角度調整してビス固定される構成となっている。
【００２８】
この様に構成すると、吊りボルト固定部２３が側面固定部２２と一体成形されているので、Ｃ型鋼１１の２面に強固にビス固定された状態で、吊りボルト固定部２３を含めこれらが三位一体となった構造により取付け剛性強度を高めて取着することができるだけでなく、下面固定片２１１をビス固定した状態から側面固定部２２を垂直姿勢に角度調整してビス固定すれば、吊りボルト３の螺合面となる吊りボルト螺合片２３１が必然的に天井パネル側に向けて平行配置され、水平または傾斜状に配設施工されるＣ型鋼１１に対して、吊りボルト固定金具２ａの取付け時の角度調整作業を容易に行うことができ、吊りボルト３の先端側をナット部２３３に螺合させれば、必然的に吊りボルト螺合片２３１と直交状態となって、吊りボルト３を垂直に保持させた状態で垂下固定することができる。
【００２９】
しかも、下面連結片２１２と側面連結片２３２とが互いに回転可能に軸着されたものであっても、Ｃ型鋼１１に固定した状態では回転不能状態となり、地震等の揺れで水平方向やねじれ、傾斜方向の振動を受けた際に、吊りボルト固定部２３に加わる振動負荷を、下面固定部２１と側面固定部２２と共に回転ブレを一切生じることなく確りと受け止める一体化構造によって、例えば、天井下地の揺れを伴ってＣ型鋼１１の幅方向へ揺れが加わった場合であっても、側面固定片２２１や、互いに重合させて軸着される下面連結片２１２と側面連結片２３２に変形を生じることがなく、耐震強度や耐震性能を飛躍的に向上させることができ、吊りボルト３の垂下姿勢を長期に亘って好適に維持して、天井全体の重量を強固に支えて歪みの発生等を抑止して良好な吊持状態を恒久的に保持することができる。
【００３０】
また、吊りボルト３は、吊りボルト螺合片２３１に螺合された状態で、その先端を下面固定片２１１に当接されるようになっているので、その螺入操作で螺合公差によるブレが規制された状態で確りと締め付けて垂下固定することができるだけでなく、吊りボルト３自体が、吊りボルト固定金具２ａをＣ型鋼１１に固定するための構成要素としての固定機能を有することが無ないので、地震等により天井下地材を含む天井全体が揺れを受けた際にも、Ｃ型鋼１１と異方向に揺れてその先端が下面固定片２１１と離間したり、螺合ブレが生じたりすることが防止され、吊りボルト３本来の吊持機能が損なわれることが無く、締め付け固定状態が維持され、天井全体の重量を強固に支えて揺れや歪みを抑止するという吊持機能を向上することができる。
【００３１】
また、母屋としてのＣ型鋼１２に取着される吊りボルト固定金具２ｂは、下面固定部２１を、側面固定部２２の下部側を延出させて、Ｃ型鋼１２の下面部側に向けて折曲せしめた下面片２１４と、該下面片２１４の両側を立上り折曲せしめた下面連結片２１２、２１２と、この下面連結片２１２、２１２のそれぞれにＣ型鋼１２の下面部に面当て固定されるよう折曲せしめた下面固定片２１１とを有して側面固定部２２（側面固定片２２１）と一体成形せしめ、吊りボルト固定部２３を、吊りボルト螺合片２３１と、該吊りボルト螺合片２３１の両側に折曲形成されてそれぞれの下面連結片２１２、２１２に回転可能に軸着される側面連結片２３２、２３２とで凹状に形成せしめると共に、側面固定部２２（側面固定片２２１）と下面固定片２１１をＣ型鋼１２の側面部と下面部にビス固定した状態で、吊りボルト螺合片２３１に螺着された吊りボルト３の自重で垂直姿勢に角度調整されるよう構成されている。
【００３２】
この様に構成すると、吊りボルト固定部２３を、下面固定部２１と側面固定部２２とが一体成形された下面連結片２１２、２１２に対して、その側面連結片２３２、２３２を互いに重合させて外嵌した状態で連結ボルト２５により回転可能に軸着することができるので、Ｃ型鋼１２の２面に対して強固にビス固定された状態で、これらが三位一体となった構造により取付け剛性強度を高めて取着することができるだけでなく、吊りボルト３の先端側をナット部２３３に螺合させれば、必然的に吊りボルト螺合片２３１と直交状態となり、吊りボルト３もその自重で垂直姿勢に角度調整されて、吊りボルト螺合片２３１が必然的に天井パネル側に向けて平行配置され、水平または傾斜状に配設施工されるＣ型鋼１２に対して、吊りボルト固定金具２ｂの取付け時の角度調整作業を容易に行うことができ、吊りボルト３を垂直に保持させた状態で垂下固定することができる。
【００３３】
しかも、吊りボルト固定部２３は、その中心位置で、側面連結片２３２を下面連結片２１２に回転可能に軸着されたものであっても、側面固定片２２１とビス孔２１３間となる側面固定部２２（側面固定片２２１）側に近接配置させて、一端側を側面固定部２２の外方に突出させた状態で連結ボルト２５により軸着することができるので、地震等の揺れで水平方向やねじれ、傾斜方向の振動を受けた際に、吊りボルト固定部２３に加わる負荷荷重を、下面固定部２１と側面固定部２２とで確りと受け止める一体化構造によって、例えば、天井下地全体の揺れを伴ってＣ型鋼１２の幅方向へ揺れることで、吊りボルト固定部２３が、軸着（連結ボルト２５）部を中心に傾動揺れがあっても、振動負荷がバランス良く分担され、下面固定片２１１と側面固定片２２１の何れか一方の側に集中負荷が加わることがなく、変形の発生が防止されるばかりか、天井下地の揺れがＣ型鋼１２に伝搬したり歪みを生じたりすることが抑止され、耐震強度や耐震性能を飛躍的に向上させることができ、吊りボルト３の垂下姿勢を長期に亘って好適に維持して、天井全体の重量を強固に支えて良好な吊持状態を恒久的に保持することができる。
【００３４】
また、吊りボルト固定部２３は、下面固定部２１（下面連結片２１２）に対して、その中心位置を側面固定部２２（側面固定片２２１）側に近接配置させて、一端側を側面固定部２２（側面固定片２２１）よりも外方に突出させた状態で配置させ、それぞれの側面連結片２３２と下面連結片２１２との間に連結ボルト２５を緊締操作可能に挿通せしめて軸着すると共に、吊りボルト３は、吊りボルト螺合片２３１に螺合された状態で、その先端を連結ボルト２５の外周に当接されるように構成されている。
このため、吊りボルト固定部２３が、軸着（連結ボルト２５）部を中心に傾動揺れがあっても、振動負荷がバランス良く分担され、下面固定片２１１と側面固定片２２１の何れか一方の側に集中負荷が加わることがなく、変形の発生が防止されるばかりか、吊りボルト３の螺入操作で螺合公差によるブレが規制された状態で確りと締め付けて垂下固定することができるだけでなく、吊りボルト３自体が、吊りボルト固定金具２ｂをＣ型鋼１２に固定するための構成要素としての固定機能を有することが無ないので、地震等により天井下地材を含む天井全体が揺れを受けた際にも、その先端が連結ボルト２５と離間したり、螺合ブレが生じたりすることが防止され、吊りボルト３本来の吊持機能が損なわれることが無く、締め付け固定状態が維持され、天井全体の重量を強固に支えて揺れを抑止するという吊持機能を向上することができる。
【００３５】
側面連結片２３２は、下面固定片２１１と対面する先端部を、吊りボルト固定部２３を回転調整した際に互いに当接しないよう台形状にカット形成され、かつ、所定の傾斜角を超える場合に下面固定片２１１に当接して角度規制されるように構成されているので、天井下地全体がＣ型鋼１２の幅方向への傾動揺れを受けても、その振幅を抑えることができ、共振作用による揺れの増幅を防止することができる。
【符号の説明】
【００３６】
１      躯体天井部
１１    垂木用Ｃ型鋼
１２    母屋用Ｃ型鋼
２ａ    吊りボルト固定金具
２ｂ    吊りボルト固定金具
２１    下面固定部
２１１  下面固定片
２１２  下面連結片
２１３  ビス孔
２１４  下面片
２１５  立上り片
２１６  切欠き溝
２２    側面固定部
２２１  側面固定片
２２２  ビス孔
２３    吊りボルト固定部
２３１  吊りボルト螺合片
２３２  側面連結片
２３３  ナット部
２４    リベット
２５    連結ボルト
３      吊りボルト
４      野縁受け
４１    野縁受けハンガー
５      補強下地材
５１    振れ止め固定金具
【図１】
0006440012.tif 000002
【図２】
0006440012.tif 000003
【図３】
0006440012.tif 000004
【図４】
0006440012.tif 000005
【図５】
0006440012.tif 000006
【図６】
0006440012.tif 000007
【図７】
0006440012.tif 000008
【図８】
0006440012.tif 000009